(57)【要約】【課題】精度の確保が容易な回転ブラシを備えた床ブラシを提供する。【解決手段】凹部内にリブを設けた受体５３をブラシ台３５のシャフト挿通孔３９に挿通したシャフト４３の端部に取り付ける。リブを治具の取付部の凹部に嵌合させてブラシ台３５を周方向に向けてねじる。シャフト４３のピン貫通孔と受体のピン挿通孔を連通させてピンで固定する。ブラシ台３５はねじり押し出し成形する必要がなく精度の確保が容易となり、回転時のぶれが生じにくい。治具の取付部の凹部をリブに係合させてブラシ台３５を容易にねじることができ、組立性を向上できる。【選択図】        図１
2004187882.tif 000002
【特許請求の範囲】
【請求項１】
外周面に突出して清掃部材が設けられた略円筒状の取付部材と、
軸方向の少なくとも一端部の近傍に径方向に貫通した貫通孔を備え、前記取付部材の中心に挿通された軸体と、
この軸体の他端部と前記取付部材とを固定する端部固定手段と、
前記軸体の一端部に設けられ、前記取付部材を周方向に向けてねじった状態で保持し、前記取付部材を周方向に向けてねじった際に前記貫通孔に連通する挿通孔を備えた略円筒状の端部保持部材と、
前記軸体の貫通孔と前記端部保持部材の挿通孔とに挿通されて前記軸体と前記端部保持部材とを固定する固定部材と、
前記端部保持部材に、径方向に沿って設けられた係合部と
を具備したことを特徴とした回転清掃体。
【請求項２】
端部保持部材は、軸方向の一端部に凹部が設けられ、
係合部は、前記凹部内に設けられた
ことを特徴とした請求項１記載の回転清掃体。
【請求項３】
係合部は、端部保持部材の挿通孔と所定の関係を有するように前記端部保持部材の径方向に沿って設けられている
ことを特徴とした請求項１または２記載の回転清掃体。
【請求項４】
外周面に突出して清掃部材を取り付けた略円筒状の取付部材の中心に軸体を挿通し、
この軸体の他端部と前記取付部材とを端部固定手段にて固定し、
前記軸体の一端部に設けた略円筒状の端部保持部材の係合部に治具を係合させてこの治具により前記取付部材を周方向にねじって、前記軸体の端部に設けた前記貫通孔に、前記端部保持部材に設けた挿通孔を連通させ、
前記軸体の貫通孔と前記端部保持部材の挿通孔とに固定部材を挿通して前記軸体と前記端部保持部材とを固定する
ことを特徴とした回転清掃体の製造方法。
【請求項５】
被掃除面に対向して設けられた吸込口を備えたケース体と、
被掃除面に対向して前記ケース体に回転自在に軸支された請求項１ないし３いずれか一記載の回転清掃体と
を具備したことを特徴とした電気掃除機の吸込口体。
【発明の詳細な説明】
【０００１】
【発明の属する技術分野】
本発明は、外周面に突出して清掃部材が設けられた取付部材を備えた回転清掃体、その製造方法およびこの回転清掃体を備えた電気掃除機の吸込口体に関する。
【０００２】
【従来の技術】
従来、この種の回転清掃体は、ねじり押し出し成形にて形成されたアルミニウム製の取付部材としてのシャフトを備えている。このシャフトの外周面には、このシャフトの周方向に沿って螺旋状に嵌合凹部が形成されている。この嵌合凹部には、清掃部材としてのブレードが取り付けられている。この結果、ブレードは、シャフトの周方向に沿って螺旋状にねじられている。また、シャフトの両端部には、挿入穴がそれぞれ形成されている。これら挿入穴には、それぞれ軸体としてのピンが圧入されている（例えば、特許文献１参照。）。
【０００３】
【特許文献１】
特開平４−２５９４２９号公報（第２頁、図３）
【０００４】
【発明が解決しようとする課題】
しかしながら、上述の回転清掃体では、シャフトに設けられた嵌合凹部を螺旋状に巻回させるために、このシャフトをアルミニウムによるねじり押し出し成形にて形成しているので、歪みなどの発生により精度を確保することが容易でなくシャフトを回転させた際にぶれが生じやすいという問題を有している。
【０００５】
本発明はこのような点に鑑みなされたもので、精度の確保が容易な回転清掃体、その製造方法およびこの回転清掃体を備えた電気掃除機の吸込口体を提供することを目的とする。
【０００６】
【課題を解決するための手段】
本発明の回転清掃体は、略円筒状の取付部材の中心に挿通された軸体と、取付部材を周方向に向けてねじった状態で保持し、取付部材を周方向に向けてねじった際に、軸体の軸方向の少なくとも一端部の近傍に径方向に貫通した貫通孔に連通する挿通孔を備えた略円筒状の端部保持部材と、軸体の貫通孔と端部保持部材の挿通孔とに挿通されて軸体と端部保持部材とを固定する固定部材と、端部保持部材に径方向に沿って設けられた係合部とを具備したものである。そして、取付部材はねじり押し出し成形する必要がないので精度の確保が容易となり、回転清掃体全体として回転時のぶれが生じにくい。また、係合部を端部保持部材の径方向に沿って設けたことで、取付部材をねじる際には、係合部に例えば治具を係合させて容易にねじることができるなど、組み立ても容易である。
【０００７】
また、本発明の回転清掃体の製造方法は、外周面に突出して清掃部材を取り付けた略円筒状の取付部材の中心に軸体を挿通し、この軸体の他端部と取付部材とを端部固定手段にて固定し、軸体の一端部に設けた略円筒状の端部保持部材の係合部に治具を係合させて周方向にねじって、軸体の端部に設けた貫通孔に、端部保持部材に設けた挿通孔を連通させ、軸体の貫通孔と端部保持部材の挿通孔とに固定部材を挿通して軸体と端部保持部材とを固定するものである。そして、取付部材はねじり押し出し成形する必要がないので精度の確保が容易となり、回転清掃体全体として回転時のぶれが生じにくい。また、係合部に治具を係合させて容易にねじることができ、組み立ても容易である。
【０００８】
【発明の実施の形態】
以下、本発明の一実施の形態における電気掃除機の構成を図１ないし図１１を参照して説明する。
【０００９】
図７において、１は掃除機本体で、この掃除機本体１は、内部に収容された電動送風機２の駆動にて生じる吸気風とともに吸い込んだ塵埃を、着脱可能な図示しない集塵パックにて集塵する電気掃除機である。
【００１０】
また、この掃除機本体１の前側略中央には、外部から空気を吸引する本体吸込口７が開口されている。この本体吸込口７には、湾曲可能な細長略円筒状のホース体１１が連通接続されている。このホース体１１の先端には、電動送風機２の動作モードなどが選択可能な手許操作部１２が設けられている。この手許操作部１２には、掃除機本体１内の電動送風機２などの駆動状態を所定の状態に設定する複数の設定ボタン１３が設けられているとともに、掃除する際に作業者が把持する把持部１４が基端側に向けて突設されている。
【００１１】
さらに、この手許操作部１２の先端には、伸縮可能な細長略円筒状の延長管１５が着脱可能に連通接続されている。またさらに、この延長管１５の先端には、例えば室内の床面の絨毯などの上に設置させて、この絨毯上の塵埃を吸い込む吸込口体としての床ブラシ１６が着脱可能に連通接続されている。
【００１２】
そして、この床ブラシ１６は、図１ないし図３および図７に示すように、前後方向である走行方向に対して横長で、後部略中央が後方に向けて突出する凸字状のケース体２１を備えている。このケース体２１における床面と対向する下面には、細長矩形状の吸込口２５が開口形成されている。この吸込口２５は、ケース体２１の走行方向の前側に偏位した位置に設けられており、このケース体２１の走行方向に対する幅方向に沿った長手方向を有した横長矩形状に形成されている。
【００１３】
さらに、このケース体２１の吸込口２５の内部には、細長略円筒状の回転清掃体としての回転ブラシ３３が走行方向に向けて回転自在に軸支されて配設されている。この回転ブラシ３３は、図１に示すように、外周面に軸方向に沿って断面略凹字状の係合凹部３４が複数、例えば４つ設けられた細長略円筒状の取付部材としてのブラシ台３５を備えている。なお、このブラシ台３５の各係合凹部３４は、周方向に間隔をおいて等間隔な状態で直線状に設けられている。また、このブラシ台３５は、変形可能、すなわちねじり加工が可能な程度、かつ人力では変形が容易でない程度の可撓性を有する部材、例えばプラスチックなどの硬質な部材などにて押し出し成形されて形成されている。
【００１４】
そして、このブラシ台３５の各係合凹部３４は、断面形状が先端幅狭の凹状に形成されている。
【００１５】
さらに、ブラシ台３５の外周面における各係合凹部３４のそれぞれの間には、軸方向に沿った断面略凹状の係止凹部３８がそれぞれ形成されている。また、ブラシ台３５には、軸方向の両端部に径方向に貫通するシャフト挿通孔３９が貫通した状態で穿設されている。
【００１６】
一方、ブラシ台３５の各係合凹部３４には、清掃部材としてブラシ部材４１および清掃部材としての掻取部材であるブレード４２のそれぞれの基端側が周方向に沿って交互に係止されて取り付けられている。また、これらブラシ部材４１およびブレード４２のそれぞれは、ブラシ台３５の外周面にこのブラシ台３５の軸方向に沿ってこのブラシ台３５の径方向に突出して取り付けられている。
【００１７】
さらに、ブラシ台３５の中心であるシャフト挿通孔３９には、鋼鉄、あるいはステンレス鋼（ＳＵＳ）などの金属にて形成された中空パイプ状の軸体としての回転軸であるシャフト４３が挿通される。そして、このシャフト４３は、ブラシ台３５より硬質な部材にて成形されており、このブラシ台３５の両端部からこのシャフト４３の両端部のそれぞれを突出させた状態で、このブラシ台３５のシャフト挿通孔３９に挿通されている。
【００１８】
また、このシャフト４３の両端部の近傍、すなわちこのシャフト４３の両端部からこのシャフト４３の軸方向の中心側に離間された位置には、図４に示すように、このシャフト４３の径方向に向けて貫通した貫通孔としてのピン貫通孔４４が穿設されている。これらピン貫通孔４４は、互いに平行に形成されており、シャフト４３をブラシ台３５のシャフト挿通孔３９に挿通させた際に、このブラシ台３５の両端部から突出する位置に設けられている。さらに、シャフト４３の各ピン貫通孔４４よりも両端側には、このシャフト４３の周方向に沿った断面凹溝状の係合溝部５２が形成されている。
【００１９】
一方、ブラシ部材４１およびブレード４２のそれぞれが係合凹部３４に挿入されて係合されたブラシ台３５のシャフト挿通孔３９に挿通されたシャフト４３の一端部である端部４３ａには、図２に示すように、端部保持部材としての受板である略円筒状の受体５３が同軸状に取り付けられ、このシャフト４３の他端部である端部４３ｂには、受板としての略円筒状の受体５４が同軸状に取り付けられている。これら受体５３，５４は、ブラシ台３５よりも硬質な材料により成形されている。
【００２０】
また、受体５３，５４の中心部には、図５および図６に示すように、シャフト４３の端部４３ａ，４３ｂが挿通される挿通孔５５が設けられている。さらに、受体５３，５４における挿通孔５５の一端部である先端部の開口縁には、挿通孔５５の開口方向である受体５３，５４の軸方向に沿って突出した係止爪部５６が複数、例えば４つ略等間隔で設けられている。これら係止爪部５６は、受体５３，５４の先端部をブラシ台３５に嵌合させた際に、このブラシ台３５の各係止凹部３８に嵌合されてこのブラシ台３５の周方向への回転を防止する。そして、受体５３の係止爪部５６は、ブラシ台３５の周方向である回転方向へのずれを規制する。
【００２１】
さらに、各係止爪部５６の基端部である挿通孔５５の開口縁には、この挿通孔５５の周方向に沿って突出した円環状の鍔部５７が設けられている。この鍔部５７は、各係止爪部５６をブラシ台３５の一端の各係止凹部３８に軸方向に沿って移動させて嵌合させて、受体５３，５４にブラシ台３５の端部を係止した際に、このブラシ台３５の端面が当接する。また、この鍔部５７は、ブラシ台３５の最大外径よりも若干大きい外径寸法を有しており、ブラシ部材４１、あるいはブレード４２が係合凹部３４から抜けることを防止する。
【００２２】
またさらに、受体５３，５４の挿通孔５５の他端部には、この挿通孔５５の周方向に沿って突出した円環状の鍔部５８が設けられている。さらに、受体５３，５４における鍔部５８と鍔部５７との間である挿通孔５５の外側面には、挿通孔としてのピン挿通孔５９が受体５３，５４の径方向に向けて貫通して設けられている。このピン挿通孔５９は、シャフト４３のピン貫通孔４４と略等しい内径寸法を有している。
【００２３】
そして、これらピン挿通孔５９は、シャフト４３のピン貫通孔４４に位置合わせされた状態で、固定部材としての細長円柱状のピン６０が挿入されて、受体５３，５４とシャフト４３とが連結固定される。この結果、シャフト４３の端部４３ａ，４３ｂとブラシ台３５とが固定される。ここで、受体５４およびピン６０により、端部固定手段６１が構成されている。
【００２４】
またさらに、鍔部５７側の挿通孔５５の開口縁には、円筒状の軸受部６２が受体５３，５４の軸方向である挿通孔５５の開口方向に沿って突出して受体５３，５４と同軸状に一体に設けられている。この軸受部６２は、係止爪部５６の突出方向と反対方向に向かって突出し、これら係止爪部５６よりも突出量が少なく設けられている。このため、この軸受部６２よりも受体５３，５４の中心側は、平面視円形状、かつ断面視矩形状の凹部６３となっている。すなわち、この凹部６３は、受体５３，５４の端部である受体５３，５４の軸方向における係止爪部５６と反対側の一端部に設けられている。また、軸受部６２は、外径寸法が鍔部５８の外径寸法よりも小さく形成されている。
【００２５】
そして、凹部６３内である挿通孔５５の開口縁の周囲には、平面視円形状の突出部６４が全周に亘って設けられている。この突出部６４は、軸受部６２の突出方向に沿って突出しており、軸受部６２の内径寸法よりも小さい外径寸法を有している。したがって、突出部６４と軸受部６２との間には、平面視円環状の凹溝部６５が形成されている。
【００２６】
この凹溝部６５内には、係合部としての一対のリブ６６が一体に設けられている。これらリブ６６は、受体５３，５４の径方向、すなわちピン挿通孔５９の貫通方向であるこのピン挿通孔５９の開口方向に沿って突出部６４の外周から軸受部６２の内周に亘ってそれぞれ設けられており、受体５３，５４の中心軸について、互いに点対称な位置に設けられている。すなわち、これらリブ６６は、受体５３，５４の中心軸を通る平面視の中心線に沿って直線状に設けられている。このため、リブ６６は、受体５３，５４のピン挿通孔５９と所定の関係を有するように、すなわちピン挿通孔５９と同方向に沿って設けられている。
【００２７】
また、リブ６６は、図５に示すように、突出部６４の突出方向に向けて、この突出部６４よりも突出量が小さく設けられている。そして、リブ６６は、例えば図８ないし図１１に示す治具６７に嵌合するように形成されている。
【００２８】
ここで、治具６７は、平板状の側板部７１、この側板部７１の外側に回動可能に取り付けられたレバー７２、側板部７１の内側に設けられた固定部７３を備えている。側板部７１は、設置面に対して垂直な方向に設けられており、上側が上方に向けて突出した凸弧状に形成されている。
【００２９】
また、レバー７２は、側板部７１の外側面に沿った方向である面方向に沿って所定の角度、例えば９０°回動可能であり、基端部が側板部７１の外側面から内側面に向けて挿入され、かつ先端部が側板部７１の外側で上方に屈曲されている。さらに、レバー７２の基端部である側板部７１の内側面には、有底円筒状の回動部７５がレバー７２の基端部と同軸状に一体に設けられている。この回動部７５は、側板部７１の内側面から治具６７の内方に向けて開口されている。そして、回動部７５内には、取付部７６が開口を閉塞するように設けられており、この取付部７６には、受体５３のリブ６６と嵌合する凹部７７が設けられている。
【００３０】
またさらに、固定部７３は、レバー７２の基端部、すなわち回動部７５と同軸状に設けられており、シャフト４３の軸方向寸法分ほど回動部７５と離間されている。また、固定部７３は、回動部７５の開口に対向するように設けられている。さらに、固定部７３における治具６７の内方、すなわち回動部７５の開口に対向した端部には、受体５４が固定される。
【００３１】
そして、鍔部５７の外周面側には、円筒状の筒部８１が同心状に取り付けられている。この筒部８１は、受体５３，５４の凹部６３に嵌合され、かつシャフト４３の係合溝部５２に回転可能に嵌合されている。このため、受体５３，５４の凹部６３は、筒部８１によって閉塞され、この凹部６３内への塵埃などの侵入が防止される。また、筒部８１の中心には、シャフト４３が挿通されている。
【００３２】
さらに、床ブラシ１６のケース体２１の吸込口２５の走行方向に対する両側縁のそれぞれには、一対の軸支凹部８２が区画形成されている。これら軸支凹部８２のそれぞれには、筒部８１が嵌合されている。この結果、受体５３，５４は、一対の軸支凹部８２間にシャフト４３を回転自在に支持させる。
【００３３】
またさらに、床ブラシ１６のケース体２１の内部における吸込口２５の後側には、モータ８３が収容されている。このモータ８３の先端部に突出した回転軸８４には、同心状にプーリ８５が取り付けられている。
【００３４】
そして、回転ブラシ３３の受体５３とモータ８３の回転軸８４に取り付けられたプーリ８５との間には、無端状のベルト体８６が橋渡すように巻回されている。この結果、モータ８３を駆動させることにより、このモータ８３の回転軸８４の回転によりプーリ８５が回転し、このプーリ８５の回転に伴ってベルト体８６が回転して回転ブラシ３３の受体５３が回転するので、この回転ブラシ３３が回転駆動される。
【００３５】
次に、上記一実施の形態の回転ブラシの製造方法を説明する。
【００３６】
まず、ブラシ台３５の各係合凹部３４に、ブラシ部材４１およびブレード４２を交互に長手方向に沿って係止して取り付けた後、このブラシ台３５のシャフト挿通孔３９にシャフト４３を挿通させる。
【００３７】
次いで、このシャフト４３の端部４３ｂに、受体５４の挿通孔５５を挿通させて、この受体５４の各係止爪部５６のそれぞれを、ブラシ台３５の一端部からこのブラシ台３５の各係止凹部３８のそれぞれに嵌合させる。
【００３８】
さらに、シャフト４３の端部４３ｂに位置する受体５４のピン挿通孔５９とシャフト４３の端部４３ｂ側のピン貫通孔４４とを連通させて、受体５４のピン挿通孔５９とシャフト４３のピン貫通孔４４との間にピン６０を挿入させて受体５４およびシャフト４３の端部４３ｂを互いに固定する。すなわち、端部固定手段６１により、シャフト４３の端部４３ｂがブラシ台３５に固定される。
【００３９】
この後、シャフト４３の端部４３ａに受体５３の挿通孔５５を挿通させて、この受体５３の各係止爪部５６のそれぞれを、ブラシ台３５の他端部からこのブラシ台３５の各係止凹部３８のそれぞれに嵌合させる。
【００４０】
この状態で、受体５３，５４を、図９および図１０に示すように、それぞれ治具６７の固定部７３および取付部７６に取り付ける。このとき、受体５４が周方向に回動しないように固定され、かつ受体５３のリブ６６が治具６７の取付部７６の凹部７７に係合して固定され、受体５３のピン挿通孔５９がシャフト４３のピン貫通孔４４に対して側面視で略等しい位置、かつ互いの開口方向が９０°交差する方向に固定される。
【００４１】
次いで、操作者がレバー７２を図８に示す実線の状態から、図８に示す二点鎖線の状態へと９０°回動させると、受体５３がシャフト４３の周方向に沿って９０°回転することで、ブラシ台３５が周方向に向けてスパイラル状である螺旋状にねじられ、受体５３のピン挿通孔５９が、シャフト４３のピン貫通孔４４に連通する。
【００４２】
そして、互いに連通した受体５３のピン挿通孔５９とシャフト４３のピン貫通孔４４との間にピン６０を挿入させて、受体５３をシャフト４３に連結させることにより、ブラシ台３５を螺旋状にねじった状態を保持させる。
【００４３】
この後、受体５３，５４の挿通孔５５から外側へと突出したシャフト４３の係合溝部５２に筒部８１を回転可能に嵌合させて取り付けて回転ブラシ３３とする。
【００４４】
そして、この回転ブラシ３３の筒部８１のそれぞれをケース体２１の軸支凹部８２のそれぞれに嵌合させて、このケース体２１の吸込口２５内に回転ブラシ３３を回転自在に軸支させる。
【００４５】
次に、上記一実施の形態の掃除動作について説明する。
【００４６】
まず、掃除をする際には、掃除機本体１にホース体１１および延長管１５を介して床ブラシ１６を接続する。そして、このホース体１１の把持部１４を持って押動させて、床ブラシ１６を床面上で前後に走行させる。
【００４７】
このとき、掃除機本体１内の電動送風機２の駆動により発生する吸込力によって、床ブラシ１６の吸込口２５から空気とともに床面上の塵埃が吸い込まれる。
【００４８】
さらに、ホース体１１の手許操作部１２に設けた所定の設定ボタン１３をオンして、床ブラシ１６の回転ブラシ３３を回転させた場合には、この回転ブラシ３３のブラシ部材４１の回転により、このブラシ部材４１にて床面がブラッシングされる。すなわち。この床面が板の間などである場合には、この床面にこびりついた塵埃が床面から掃き取られて取り除かれ、床ブラシ１６の吸込口２５へと吸い込まれる。
【００４９】
同時に、この回転ブラシ３３のブレード４２の回転により、床面上の塵埃が掃き取られる。すなわち、この床面が絨毯などである場合には、ブレード４２によって、絨毯の中に入り込んだ塵埃が外部へと掻き出されて取り除かれ、床ブラシ１６の吸込口２５へと吸い込まれる。
【００５０】
この後、この床ブラシ１６の吸込口２５から塵埃とともに吸い込まれた空気は、この床ブラシ１６の吸込口２５から延長管１５およびホース体１１を順次介して掃除機本体１の本体吸込口７へと吸い込まれた後、この掃除機本体１内に収容された集塵パックへと吸い込まれて空気とともに吸い込んだ塵埃が捕捉される。
【００５１】
上述したように、上記一実施の形態によれば、ブラシ台３５はねじり押し出し成形する必要がないので精度を容易に確保でき、回転ブラシ３３全体として回転時のぶれを生じにくくできる。
【００５２】
また、リブ６６を受体５３の径方向に沿って設けたことで、リブ６６を治具６７の凹部７７に係合させてブラシ台３５をねじるためにブラシ台３５の周方向に加えた外力に対してリブ６６が交差するから、ブラシ台３５を容易にねじることができ、組立性を向上できる。
【００５３】
さらに、リブ６６を、受体５３の凹部６３に設けたことにより、リブ６６に塵埃が入り込まず、治具６７の凹部７７をリブ６６に確実に係合できる。
【００５４】
さらに、リブ６６を設けた方向である受体５３の径方向とこの受体５３のピン挿通孔５９の開口方向とが等しいため、回転ブラシ３３の製造時にシャフト４３のピン貫通孔４４の位置を予め把握しておくことで、これらピン挿通孔５９の開口方向をリブ６６の方向を検知してシャフト４３の軸方向、すなわち横方向からでも容易に検知できるので、これらピン挿通孔５９をシャフト４３のピン貫通孔４４に容易に連通でき、受体５３とシャフト４３とをピン６０にて、より容易に固定できる。
【００５５】
またさらに、リブ６６の角度を確認することにより、ブラシ台３５のねじり角度を正確に検知できるので、人力でも可能なピン６０による固定作業と人力では容易でないブラシ台３５のねじり作業とをともに自動化でき、このブラシ台３５にて構成される回転ブラシ３３の製造性および製造精度を容易に向上できる。
【００５６】
そして、ピン貫通孔４４それぞれの軸方向を、シャフト４３の径方向に沿って互いに平行にしたので、これらピン貫通孔４４をシャフト４３に対して同時に穿設でき、シャフト４３の製造性をより向上できる。
【００５７】
なお、上記一実施の形態において、リブ６６をピン挿通孔５９に対して所定の関係を有するように設ければ、リブ６６の形成方向は、ピン挿通孔５９に対して垂直などの所定角度に設けるなどでもよい。
【００５８】
また、リブ６６は、治具６７を用いずに、作業者が把持可能な大きさで形成し、作業者の指が嵌合するようにしてもよい。
【００５９】
さらに、受体５３の凹部６３に、図示しない被係合凹部を受体５３の径方向に沿って設け、治具６７に設けた図示しない凸部に係合させることで、リブ６６の代わりとしてもよい。
【００６０】
またさらに、キャニスタ型の電気掃除機に限らず、床ブラシ１６が掃除機本体１の下面に直接形成されたアップライト型、その他、掃除機本体１と床ブラシ１６とが一体化された自走式の電気掃除機あるいはハンディ型などであっても対応させて用いることができる。
【００６１】
そして、床ブラシ１６に回転ブラシ３３を複数配設してもよい。また、この回転ブラシ３３をモータ８３にて回転駆動させたが、電動送風機２による吸気風にて回転駆動させる構成とすることもできる。
【００６２】
また、ブラシ部材４１およびブレード４２は、ブラシ台３５と一体に形成されていてもよい。
【００６３】
さらに、端部固定手段６１は、受体５４およびピン６０による固定だけでなく、他の様々な構成が可能である。
【００６４】
【発明の効果】
本発明によれば、取付部材はねじり押し出し成形する必要がないので精度の確保が容易となり、回転清掃体全体として回転時のぶれを生じにくくできる。また、係合部に治具を係合させて容易にねじることができ、組み立ても容易である。
【図面の簡単な説明】
【図１】本発明の電気掃除機の吸込口体の一実施の形態を示す縦断面図である。
【図２】同上吸込口体を示す横断面図である。
【図３】同上吸込口体の一部を拡大して示す横断面図である。
【図４】同上回転清掃体の軸体を示す一部を省略した側面図である。
【図５】同上回転清掃体の保持部材を示す縦断面図である。
【図６】同上保持部材の側面図である。
【図７】同上吸込口体を備えた電気掃除機を示す斜視図である。
【図８】同上吸込口体の回転清掃体を製造する治具を示す正面図である。
【図９】同上治具を示す側面図である。
【図１０】同上治具の一部を拡大して示す側面図である。
【図１１】同上治具の一部を拡大して示す側面図である。
【符号の説明】
１６    吸込口体としての床ブラシ
２１    ケース体
２５    吸込口
３３    回転清掃体としての回転ブラシ
３５    取付部材としてのブラシ台
４１    清掃部材としてのブラシ部材
４２    清掃部材としてのブレード
４３    軸体としてのシャフト
４４    貫通孔としてのピン貫通孔
５３    端部保持部材としての受体
５９    挿通孔としてのピン挿通孔
６０    固定部材としてのピン
６１    端部固定手段
６３    凹部
６６    係合部としてのリブ
６７    治具
【図１】
2004187882.tif 000003
【図２】
2004187882.tif 000004
【図３】
2004187882.tif 000005
【図４】
2004187882.tif 000006
【図５】
2004187882.tif 000007
【図６】
2004187882.tif 000008
【図７】
2004187882.tif 000009
【図８】
2004187882.tif 000010
【図９】
2004187882.tif 000011
【図１０】
2004187882.tif 000012
【図１１】
2004187882.tif 000013